(57)【特許請求の範囲】
【請求項１】
魚を投入する魚投入口を備える釣り用バケツであって、
前記魚投入口は、少なくとも一方が可撓性を有するシート材である、内側部材と、前記内側部材の外面側に重ね合わされた外側部材とによって構成されており、前記内側部材と、前記外側部材との隙間を介して内部空間と外部とが連通されている釣り用バケツ。
【請求項２】
釣り用バケツの開口に、開閉自在に取り付けられた天蓋を備えており、
前記魚投入口が、前記天蓋に設けられていること、および
前記内側部材が、可撓性を有するシート材であることを特徴とする、請求項１に記載の釣り用バケツ。
【発明の詳細な説明】
【技術分野】
【０００１】
本発明は、釣り上げた魚を素早く入れることのできるバケツに関する。
【背景技術】
【０００２】
従来から、図９に示すように、釣れた魚を入れておくためのバケツ(1)が知られている。このバケツ(1)は、合成樹脂などで形成されており、バケツ内部に淡水や海水（釣り場や魚種に合わせて適宜選択される。以下、単に「海水」と記載するが、淡水を排除するものではない。）を溜めて、釣れた魚を入れることができるようになっている。また、天蓋(2)は、天蓋(2)の外周に取り付けられたファスナー(3)によって開閉可能になっており、天蓋(2)を開けて、釣れた魚をバケツ(1)に入れることができる。
【０００３】
ところで、近年、一定条件のもとに、釣りの腕前を競う「トーナメント」が全国で開催されることが多くなり、釣りがスポーツなどの「競技」のひとつとして認められている。トーナメントの条件は、釣りあげた特定魚種の大きさを競う場合もあるが、一定の場所や時間内に、どれだけ多くの魚を釣ることができるかを競う場合も多い。
【０００４】
このように、制限時間内に多くの魚を釣り上げるためには、単にはやく魚を釣り上げるだけでなく、釣り上げた魚をバケツに入れる時間をも短縮することが求められている。競技時間に比べて、魚が最もよく釣れるいわゆる「食いのよい時間」は一般的に短く、「時間を短縮すること」はトーナメントで勝つために重要な要素だからである。
【０００５】
このような要望を受けて、バケツ(1)の天蓋(2)を開閉する時間を短縮するため、図１０のようなバケツ(4)が開発されている。このバケツ(4)は、天蓋(5)表面に魚投入用ファスナー(6)を設けることで、釣れた魚を魚投入用ファスナー(6)からバケツ(4)に素早く入れることができるようにしたものである。（例えば、非特許文献１）
【非特許文献１】http://www.gamakatsu.co.jp/catalog/pdf/cat2005_g002.pdf
【発明の開示】
【発明が解決しようとする課題】
【０００６】
しかし、このようなバケツ(4)でも魚投入用ファスナー(6)の開閉が必要であるという点で、図７のバケツ(1)と変わりが無く、魚を入れる時間を大幅に減縮することができなかった。さらに、魚投入用ファスナー(6)の使用頻度が多いことから、魚投入用ファスナー(6)が破損することがあった。魚投入用ファスナー(6)が破損すると、魚投入用ファスナー(6)が開けられなくなる場合がある。トーナメントの最中に、このような破損が生じると、天蓋(5)外周に取り付けられた、天蓋開閉用ファスナー(7)を操作して魚を入れなければならなくなるといった問題点が存在していた。
【０００７】
また、単に魚を入れる時間を短縮するだけであるならば、天蓋のないバケツ（図示せず。）を用いることができるが、このようなバケツは、足場の悪い場所に置いて転倒させた際や、バケツを持ち運んでいる際に魚を逃がしてしまうおそれがあり、現実的ではない。
【０００８】
本発明は、上記問題に鑑みなされたものであり、素早く簡単に釣れた魚を入れることができるとともに、破損の少ない構造を有する釣り用バケツを提供することを目的とする。
【課題を解決するための手段】
【０００９】
請求項１に記載されたバケツ(10)は、「魚を投入する魚投入口(30)を備える釣り用バケツ(10)であって、魚投入口(30)は、少なくとも一方が可撓性を有するシート材である、内側部材(22)と、内側部材(22)の外面側に重ね合わされた外側部材(20)とによって構成されており、内側部材(22)と、外側部材(20)との隙間を介して内部空間と外部とが連通されている」ことを特徴とする。
【００１０】
この発明によれば、魚投入口(30)は、内側部材(22)と、内側部材(22)の外面側に重ね合わされた外側部材(20)とによって構成されている。また、バケツ(10)は、内側部材(22)と、外側部材(20)との隙間を介して内部空間と外部空間とが連通されている。魚投入口(30)に魚を入れる際、魚の頭から魚投入口(30)に挿入していくと、内側部材(22)、および外側部材(20)の少なくとも一方の可撓性により、内側部材(22)と外側部材(20)との隙間は魚の体幅に応じて拡張する。このため、釣り人はファスナー(18)を開けるなどの操作をすることなく、魚投入口(30)を通して、バケツ(10)に魚を入れることができる。
【００１１】
請求項２に記載した発明は、請求項１に記載されたバケツ(10)であって、「釣り用バケツ(10)の開口(A)に、開閉自在に取り付けられた天蓋(14)を備えており、魚投入口(30)が、天蓋(14)に設けられていること、および内側部材(22)が、可撓性を有するシート材であること」を特徴とする。
【００１２】
この発明によれば、魚投入口(30)が天蓋(14)に設けられているので、バケツ内部(17)空間と外部は、横方向の隙間によって連通されており、外側部材(20)と内側部材(22)とは上下に重ねられた状態となっている。このようなバケツ(10)において、下側に位置する内側部材(22)に魚を載置すると、該魚の重量で内側部材(22)が撓み、内側部材(22)と外側部材(20)との隙間が広くなる。したがって、請求項２に記載したバケツ(10)に釣り上げた魚を投入するとき、魚を内側部材(22)に載置して外側部材(20)方向へ水平に移動させるだけで、魚投入口(30)に魚の頭から挿入し、魚をバケツ(10)に投入することができる。また、天蓋(14)を備えているので、誤ってバケツ(10)を転倒させた場合でも、バケツ(10)の中の魚を逃がしてしまうおそれがない。
【発明の効果】
【００１３】
請求項１に記載した発明によれば、魚投入口に魚を入れる際、ファスナーを開けるなどの操作をする必要がないので、魚を素早くバケツに入れることができる。さらに、魚投入口は、内側部材と外側部材とを重ね合わせることで構成されており、ファスナーなどの機構が使用中に破損するおそれがない。
【００１４】
請求項２に記載した発明によれば、魚を投入する際、魚を内側部材に載置して、外側部材方向へ水平に移動させるだけでバケツに投入することができる。したがって、魚投入口を狙って魚を入れる必要がなくなり、より素早く魚をバケツに入れることができる。
【００１５】
また、バケツを転倒させた場合でも、バケツの中の魚を逃がしてしまうおそれがないので、安心して釣りに集中することができる。
【発明を実施するための最良の形態】
【００１６】
以下、本発明を図示実施例に従って詳述する。
【００１７】
図１〜４に示すように、本発明が適用された釣り用バケツ(10a)は、バケツ本体(12)と、天蓋(14)と、エアポンプ用ポケット(16)とで構成されている。
【００１８】
バケツ本体(12)は、エチレンビニルアセテート（以下、「ＥＶＡ」と記載する。）製の、可撓性を有するシート材で形成された、上端に開口(A)を有する箱体であり、バケツ内部(17)に海水を溜めることができる。開口(A)の外周には、天蓋(14)を開閉可能に取り付けるためのファスナー(18)の一片が取り付けられている。
【００１９】
天蓋(14)は、バケツ本体(12)の開口(A)において、短冊状シート(X)による蝶着にて開閉可能に取り付けられている板状の部材であり、外側部材(20)と、内側部材(22)と、ファスナー(18)の他片と、排水用孔(26)と、空気供給孔(28)とで構成されている。また、天蓋(14)の中央部には、魚投入口(30)が構成されている。
【００２０】
外側部材(20)および内側部材(22)は、ＥＶＡ製の、可撓性を有するシート材である。
【００２１】
魚投入口(30)は、内側部材(22)と、内側部材(22)の外面側に重ね合わされた外側部材(20)とで構成されている。また、外側部材(20)と内側部材(22)との隙間を介して、バケツ内部(17)と外部とが連通されている。これにより、釣り上げた魚を魚投入口(30)に通して、バケツ内部(17)に入れることができる。
【００２２】
本実施例では、天蓋(14)が、外側部材の端縁部(34)と、内側部材の端縁部(36)とを５ｃｍ重ね合わせて一組のシートとし、該一組のシートの外周にファスナー(18)の他片、および短冊状シート(X)を縫着することで１枚の板状部材として形成されている。なお、外側部材(20)と、内側部材(22)との重ね合わせ部は、両部材(20)および(22)を折り返して二重することで強度を増し、魚投入口(30)の破損を防いでいる。
【００２３】
排水用孔(26)は、バケツ内部(17)の海水を、天蓋(14)を閉じたまま外部へ排水するための孔である。本実施例では、中心に貫通孔を有する金属製のハトメ(38)を７つ、外側部材(20)の端部に取り付けることによって、排水用孔(26)が形成されている。
【００２４】
空気供給孔(28)は、釣れた魚を生かしておくための空気をバケツ内部(17)の海水に供給するため、後述するエアポンプ(39)からのエア供給パイプ(40)を通すための孔である。本実施例では、内側部材(22)の端部に、金属製の中心に貫通孔を有するハトメ(38)を１つ取り付けることによって、空気供給孔(28)が形成されている。
【００２５】
なお、外側部材(20)表面には、魚の体長測定用のメジャー(42)が印刷されている。
【００２６】
エアポンプ用ポケット(16)は、バケツ(10)に入れた海水に空気を供給し、釣れた魚を生かしておくために使用される可搬式エアポンプ(39)を入れるための箱状部材であり、本実施例では、上面にエアポンプ(39)を出し入れするためのファスナー(44)が取り付けられている。
【００２７】
ところで、トーナメントでは、競技時間内に釣り上げた、規定寸法よりも大きな魚をトーナメント本部まで持ち帰り、計数や計量を受けるのであるが、その際に釣り上げた魚が生きていなければ有効とされないといった規定を有することも多い。以下では、このような規定を有するトーナメントにおいて、本実施例に係るバケツ(10a)をエアポンプ(39)とともに使用する方法について説明する。
【００２８】
釣り場に到着し、まず海水を汲んでバケツ(10a)に満たす。そして、エアポンプ(39)に付属するエア供給パイプ(40)の先端部を、空気供給孔(28)を貫通させて、バケツ内部(17)の海水に没入させる。その後、エアポンプ(39)を作動させて空気を供給する（図５参照）。
【００２９】
釣り上げた魚(F)は、魚投入口(30)からバケツ内部(17)に入れられるが、釣り人は、魚投入口(30)に魚(F)を入れる際、ファスナー(18)を開けるなどの操作をする必要がない。
【００３０】
このことを、図６を用いて詳説する。バケツ(10a)に魚(F)を入れるとき、内側部材(22)に魚(F)を載置すると、内側部材(22)の可撓性により、魚(F)の重量で内側部材(22)が撓むので、魚投入口(30)の隙間は広くなる。そして、魚投入口(30)の隙間に魚(F)の頭から挿入していくと、外側部材(20)および内側部材(22)の可撓性により、魚投入口(30)の隙間は魚(F)の体幅に応じて拡張する。（つまり、状態(b)となる。）そして、魚(F)全体が魚投入口(30)を通り抜けると、魚投入口(30)の隙間は、非使用状態(a)に戻る。したがって、バケツ(10a)に釣り上げた魚(F)を投入する際、魚(F)を内側部材(22)に載置して、外側部材(20)方向へ水平に移動させるだけでバケツ(10)に投入することができる。また、魚(F)を入れるときには魚投入口(30)の隙間が広がるので、容易かつ素早く魚(F)をバケツ(10a)に入れることができ、非使用状態(a)においては魚投入口(30)の隙間が小さいことから、バケツ(10a)に入れた魚(F)が跳ね上がっても、魚投入口(30)から魚(F)が外へでるおそれはない。
【００３１】
なお、本実施例に係るバケツ(10a)は、非使用状態(a)において、魚投入口(30)の中央部付近で１ｃｍ程度の隙間を有するように形成されている。このように形成されたバケツ(10a)には、体長４０ないし４５ｃｍのメジナおよび鯛を問題なく魚投入口(30)から入れることができることを、試験により確認した。
【００３２】
また、天蓋(14)表面には、魚の体長測定用のメジャー(42)が印刷されているので、釣り上げた魚(F)をバケツ(10a)に入れる前に魚の体長を測定し、規定寸法よりも大きな魚であることを容易に確認することができる。
【００３３】
釣りを終えてトーナメント本部に戻るときや、釣り場を移動するときに、バケツ内部(17)が満水状態では重く、バケツ(10a)の持ち運びに不便なので、必要に応じてバケツ(10a)を傾けるなどして、海水を排水用孔(26)から排出することができる。排水用孔(26)は、魚(F)の大きさよりも十分に小さいことから、誤って魚(F)まで外に出してしまうおそれはない。さらに、魚投入口(30)は、非使用状態(a)において少しの隙間が空いているので、大量の海水を一気に排出しても、バケツ内部(17)の空間が負圧となって排水が脈動することがなく、スムーズに排出することができる。なお、排水後においてもバケツ内部(17)の魚を生かしておける程度の海水を残しておくべきことは言うまでもない。
【００３４】
最後に、ファスナー(18)を操作することによって天蓋(14)を開けて、バケツ本体(12)から魚(F)を取り出す。
【００３５】
なお、バケツ本体(12)の形状は、箱状のものだけでなく、魚を生かしておくのに必要な水量を溜め得るものであれば、円筒形や他の形状であってもよい。また、可撓性のない材料であってもよく、ＥＶＡに限られず他の材料であってもよい。
【００３６】
外側部材(20)および内側部材(22)は、ＥＶＡに限られず、他の合成樹脂シートや、布地であってもよい。
【００３７】
魚投入口(30)は、図７のように、バケツ(10b)の側面に設けることもできる。この場合、魚(F)をバケツ(10b)に入れるときには、魚投入口(30)を狙って、魚(F)の頭から挿入する必要がある。この場合も天蓋(14)に魚投入口(30)を設ける場合と同様に、内側部材(22)に可撓性のあるシート材を用いる方が、魚(F)で内側部材(22)をバケツ(10b)の内側へ押しつけると、魚投入口(30)の隙間が広がるので、魚(F)を入れやすい。
【００３８】
なお、魚投入口(30)を複数設けてもよい。例えば図８のように、天蓋(14)に２枚の内側部材(22)と、１枚の外側部材(20)を用いて、魚(F)が通過し得る程度の空間(Y)を開けて２枚の内側部材(22)を配置する。そして、空間(Y)、および２枚の内側部材(22)の端縁の上面側に外側部材(20)を重ねて１組のシートとし、該シートの外周を縫着などして、左右２カ所から魚を入れることの出来る魚投入口(30)を有するバケツ(10c)を得ることができる。よいポイントを探して動き回る釣り場においては、常に一方向から魚を入れることができるとは限らない。したがって、複数の魚投入口(30)を有するバケツ(10c)を用いることによって、釣れた魚を入れる時間をさらに短縮することができる。
【００３９】
また、実施例では、魚投入口(30)は、部材(20)および(22)の両端を縫着することによって形成されているが、対象とする魚(F)が小さい場合、部材(20)および(22)の接合位置を内側寄りに設定することにより、魚投入口(30)の大きさを小さくすることができる。また、魚投入口(30)の両端は、縫着ではなく、接着剤や他の接合手段により接合することができる。
【００４０】
さらに、部材(20)および(22)の重ね代は、必要に応じて適宜設定することができる。重ね代を長くすれば、魚(F)をバケツ(10a)に入れにくくなるが、魚(F)がバケツ内部(17)から外へ飛び出すおそれが少なくなる。一方、重ね代を短くすると、魚(F)をバケツ(10a)に入れ易くなるものの、魚(F)がバケツ内部(17)から外へ飛び出すおそれがある。なお、内側部材の端縁部(36)を内側に湾曲するように切り欠くことによって、重ね代を長くした場合であっても、魚(F)の入れ易くすることができる。また、外側部材(20)の長さと、内側部材(22)の長さとの比率も実施例に限られず、適宜設定することができる。
【００４１】
排水用孔(26)および空気供給孔(28)には、本実施例ではハトメ(38)が用いられているが、合成樹脂製の短管を天蓋(14)に貫通させて固定するなど、他の方法を用いてもよい。また、排水用孔(26)および空気供給孔(28)の位置および数も、本実施例に限定されるものではない。
【００４２】
エアポンプ用ポケット(16)は、エアポンプ(39)を使用しない場合には、取り外すことができる。
【００４３】
メジャー(42)は、本実施例では外側部材(20)に印刷されているが、アクリル板などで作成した定規を天蓋(14)に貼り付けるなど、他の方法を用いることができる。
【図面の簡単な説明】
【００４４】
【図１】本件発明に係るバケツ(10a)を示す斜視図（正面）である。
【図２】本件発明に係るバケツ(10a)を示す斜視図（背面）である。
【図３】本件発明に係るバケツ(10a)を示す平面図である。
【図４】図３におけるIV-IV断面図である。
【図５】エアポンプ使用時の状態を示す斜視図である。            なお、バケツ本体(12)を透視した状態を描いている。
【図６】図３におけるVI-VI断面図である。            (a)非使用状態を示す。            (b)魚投入時の状態を示す。
【図７】本件発明に係る他の実施例に係るバケツ(10b)を示す斜視図（正面）である。
【図８】本件発明に係る他の実施例に係るバケツ(10c)を示す斜視図（正面）である。
【図９】従来技術に係るバケツを示す斜視図である。
【図１０】従来技術に係るバケツを示す斜視図である。
【符号の説明】
【００４５】
(10)…バケツ
(12)…バケツ本体
(14)…天蓋
(16)…エアポンプ用ポケット
(17)…バケツ内部
(18)…ファスナー
(20)…外側部材
(22)…内側部材
(26)…排水用孔
(28)…空気供給孔
(30)…魚投入口
(34)…外側部材の端縁部
(36)…内側部材の端縁部
(38)…ハトメ
(42)…メジャー
【図１】
0004460517.tif 000002
【図２】
0004460517.tif 000003
【図３】
0004460517.tif 000004
【図４】
0004460517.tif 000005
【図５】
0004460517.tif 000006
【図６】
0004460517.tif 000007
【図７】
0004460517.tif 000008
【図８】
0004460517.tif 000009
【図９】
0004460517.tif 000010
【図１０】
0004460517.tif 000011